(57)【要約】  拡張個別チャネル（Ｅ−ＤＣＨ：enhanced dedicated channel）を介する送信をスケジューリングする方法および装置を開示する。スケジュールパワー（２４０）は、スケジュールデータフロー用に算出される。残存送信パワー（２６５）は、Ｅ−ＤＣＨ送信用に算出される。レート要求メッセージ（２７０）が生成され、スケジュールパワー（２４０）、残存送信パワー（２６５）およびレート要求メッセージ（２７０）は、トランスポートフォーマットコンビネーション（ＴＦＣ）を選択するため、およびＥ−ＤＣＨ送信用のスケジュールされたデータを多重化するために使用される。残存送信パワー（２６５）は、最大許容パワーから、個別物理データチャネル（ＤＰＤＣＨ：dedicated physical data channel）、個別物理制御チャネル（ＤＰＣＣＨ：dedicated physical control channel）、超高速個別物理制御チャネル（ＨＳ−ＤＰＣＣＨ：high speed dedicated physical control channel）、拡張アップリンク個別物理制御チャネル（Ｅ−ＤＰＣＣＨ：enhanced uplink dedicated physical control channel）およびパワーマージンのパワーを差し引くことで算出される。
2008537448.tif 000002
【特許請求の範囲】
【請求項１】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングする方法であって、
スケジュールデータフロー用のスケジュールパワーを算出するステップと、
前記Ｅ−ＤＣＨ送信用の残存送信パワーを算出するステップと、
レート要求メッセージを生成するステップと
を備え、
前記スケジュールパワー、残存送信パワーおよびレート要求メッセージは、トランスポートフォーマットコンビネーション（ＴＦＣｓ）を選択するため、および前記Ｅ−ＤＣＨ送信用にスケジュールされたデータを多重化するために使用されることを特徴とする方法。
【請求項２】
少なくとも一の無線リンクセット（ＲＬＳ）から受信される少なくとも一のスケジューリング許可が、前記スケジュールパワーを算出するために使用されることを特徴とする請求項１に記載の方法。
【請求項３】
前記少なくとも一のスケジューリング許可は、プライマリまたはセカンダリの識別子を有するＥ−ＤＣＨセルから受信される絶対的な許可であることを特徴とする請求項２に記載の方法。
【請求項４】
前記少なくとも一のスケジューリング許可は、サービングＥ−ＤＣＨ無線リンクセットから受信される相対的な許可であることを特徴とする請求項２に記載の方法。
【請求項５】
前記少なくとも一のスケジューリング許可は、非サービングＥ−ＤＣＨ無線リンクセットから受信される相対的な許可であることを特徴とする請求項２に記載の方法。
【請求項６】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とする請求項１に記載の方法。
【請求項７】
前記レート要求メッセージのトリガとなるロジックを提供するステップと、
前記レート要求メッセージを構築するロジックを提供するステップと
をさらに備え、
前記レート要求メッセージは、複数のレート要求ビットを含むことを特徴とする請求項１に記載の方法。
【請求項８】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項１に記載の方法。
【請求項９】
前記レート要求メッセージは、スケジューリング許可が全くないときに前記Ｅ−ＤＣＨにマッピングされる論理チャネル上で新しいデータを受信した際に、トリガされることを特徴とする請求項１に記載の方法。
【請求項１０】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項１に記載の方法。
【請求項１１】
前記レート要求メッセージは、最後に報告されたよりも高い優先度の新しいデータが、Ｅ−ＤＣＨにマッピングされた論理チャネル上で受信されたときに、トリガされることを特徴とする請求項１に記載の方法。
【請求項１２】
前記レート要求メッセージは、スケジュール許可がなく、レート要求が更新されて定期的に生成されるときにトリガされることを特徴とする請求項１に記載の方法。
【請求項１３】
以前に送信された前記レート要求メッセージに関してサービング無線リンクセット（ＲＬＳ）確認応答（ＡＣＫ）を受信しないときに、更新レート要求メッセージが生成されることを特徴とする請求項１に記載の方法。
【請求項１４】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングする方法であって、
各送信時間間隔（ＴＴＩ）にて、スケジューリング情報レート要求トリガが発生するかどうか、および／または、Ｅ−ＤＣＨデータが利用可能であるかどうかを監視するステップと、
スケジューリング情報レート要求トリガが発生し、および／または、Ｅ−ＤＣＨデータが利用可能である場合には、ハイブリッド自動リピート要求（Ｈ−ＡＲＱ）処理が利用可能かを判定するステップであり、利用可能でなければ次のＴＴＩを待つステップと、
前記Ｈ−ＡＲＱ処理が利用可能である場合には、現在のスケジューリング許可および残存送信パワー算出を要求するステップであり、利用可能でなければ次のＴＴＩを待つステップと、
スケジューリング機能および拡張アップリンクトランスポートフォーマットコンビネーション（Ｅ−ＴＦＣ）選択機能を呼び出し、拡張アップリンク媒体アクセス制御（ＭＡＣ−ｅ）プロトコルデータユニット（ＰＤＵ）を生成するステップと、
前記ＭＡＣ−ｅ ＰＤＵを前記利用可能なＨ−ＡＲＱ処理へと送信用に転送するステップと
を備えることを特徴とする方法。
【請求項１５】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備えることを特徴とするＷＴＲＵ。
【請求項１６】
少なくとも一の無線リンクセット（ＲＬＳ）から受信される少なくとも一のスケジューリング許可が、前記スケジュールパワーを算出するために使用されることを特徴とする請求項１５に記載のＷＴＲＵ。
【請求項１７】
前記少なくとも一のスケジューリング許可は、プライマリまたはセカンダリの識別子を有するＥ−ＤＣＨセルから受信される絶対的な許可であることを特徴とする請求項１６に記載のＷＴＲＵ。
【請求項１８】
前記少なくとも一のスケジューリング許可は、サービングＥ−ＤＣＨ無線リンクセットから受信される相対的な許可であることを特徴とする請求項１６に記載のＷＴＲＵ。
【請求項１９】
前記少なくとも一のスケジューリング許可は、非サービングＥ−ＤＣＨ無線リンクセットから受信される相対的な許可であることを特徴とする請求項１６に記載のＷＴＲＵ。
【請求項２０】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とする請求項１５に記載のＷＴＲＵ。
【請求項２１】
前記レート要求処理ユニットは、
前記レート要求メッセージをトリガするロジックと、複数のレート要求ビットを含む前記レート要求メッセージを構築するロジックとを備えることを特徴とする請求項１５に記載のＷＴＲＵ。
【請求項２２】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項１５に記載のＷＴＲＵ。
【請求項２３】
前記レート要求メッセージは、スケジューリング許可が全くないときに前記Ｅ−ＤＣＨにマッピングされる論理チャネル上で新しいデータを受信した際に、トリガされることを特徴とする請求項１５に記載のＷＴＲＵ。
【請求項２４】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項１５に記載のＷＴＲＵ。
【請求項２５】
前記レート要求メッセージは、最後に報告されたよりも高い優先度の新しいデータが、Ｅ−ＤＣＨにマッピングされた論理チャネル上で受信されたときに、トリガされることを特徴とする請求項１５に記載のＷＴＲＵ。
【請求項２６】
前記レート要求メッセージは、スケジュール許可がなく、レート要求が更新されて定期的に生成されるときにトリガされることを特徴とする請求項１５に記載のＷＴＲＵ。
【請求項２７】
以前に送信された前記レート要求メッセージに関してサービング無線リンクセット（ＲＬＳ）確認応答（ＡＣＫ）を受信しないときに、更新レート要求メッセージが生成されることを特徴とする請求項１５に記載のＷＴＲＵ。
【請求項２８】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備えることを特徴とするＩＣ。
【請求項２９】
少なくとも一の無線リンクセット（ＲＬＳ）から受信される少なくとも一のスケジューリング許可が、前記スケジュールパワーを算出するために使用されることを特徴とする請求項２８に記載のＩＣ。
【請求項３０】
前記少なくとも一のスケジューリング許可は、プライマリまたはセカンダリの識別子を有するＥ−ＤＣＨセルから受信される絶対的な許可であることを特徴とする請求項２９に記載のＩＣ。
【請求項３１】
前記少なくとも一のスケジューリング許可は、サービングＥ−ＤＣＨ無線リンクセットから受信される相対的な許可であることを特徴とする請求項２９に記載のＩＣ。
【請求項３２】
前記少なくとも一のスケジューリング許可は、非サービングＥ−ＤＣＨ無線リンクセットから受信される相対的な許可であることを特徴とする請求項２９に記載のＩＣ。
【請求項３３】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とする請求項２８に記載のＩＣ。
【請求項３４】
前記レート要求処理ユニットは、
前記レート要求メッセージをトリガするロジックと、
前記レート要求メッセージを構築するロジックと
を備え、
前記レート要求メッセージは、複数のレート要求ビットを含むことを特徴とする請求項２８に記載のＩＣ。
【請求項３５】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項２８に記載のＩＣ。
【請求項３６】
前記レート要求メッセージは、スケジューリング許可が全くないときに前記Ｅ−ＤＣＨにマッピングされる論理チャネル上で新しいデータを受信した際に、トリガされることを特徴とする請求項２８に記載のＩＣ。
【請求項３７】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項２８に記載のＩＣ。
【請求項３８】
前記レート要求メッセージは、最後に報告されたよりも高い優先度の新しいデータが、Ｅ−ＤＣＨにマッピングされた論理チャネル上で受信されたときに、トリガされることを特徴とする請求項２８に記載のＩＣ。
【請求項３９】
前記レート要求メッセージは、スケジュール許可がなく、レート要求が更新されて定期的に生成されるときにトリガされることを特徴とする請求項２８に記載のＩＣ。
【請求項４０】
以前に送信された前記レート要求メッセージに関してサービング無線リンクセット（ＲＬＳ）確認応答（ＡＣＫ）を受信しないときに、更新レート要求メッセージが生成されることを特徴とする請求項２８に記載のＩＣ。
【発明の詳細な説明】
【技術分野】
【０００１】
本発明は、無線通信システムに関する。より詳細には、本発明は、拡張個別チャネル（Ｅ−ＤＣＨ：enhanced dedicated channel）を介する送信をスケジューリングする方法および装置に関する。
【背景技術】
【０００２】
アップリンク（ＵＬ）カバレッジ、スループット、および送信レイテンシを改良する方法について、現在、第３世代パートナーシッププロジェクト（３ＧＰＰ：third generation partnership project）にて研究が行われている。これらの目的を達成するために、拡張アップリンク（ＥＵ：enhanced uplink）送信が３ＧＰＰにおいて提唱されており、ＵＬリソース（すなわち、物理チャネル）の制御（すなわち、スケジューリングおよび割り当て）は、無線ネットワーク制御装置（ＲＮＣ：radio network controller）からノードＢに移される。
【０００３】
図１Ａは、伝統的な無線送受信ユニット（ＷＴＲＵ：wireless transmit/receive unit）（移動局など）サイド媒体アクセス制御（ＭＡＣ：medium access control）アーキテクチャ１００を示す図である。ＷＴＲＵ ＭＡＣアーキテクチャ１００は、ＭＡＣ内の異なる独立したサブ・レイヤ・エンティティを構成するＭＡＣ−ｅｓ／ＭＡＣ−ｅエンティティ１０５を含む。ＭＡＣ− ｅｓ／−ｅ機能性の分割は、ＭＡＣ機能性がＵＴＲＡＮ（universal terrestrial radio access network）内でどのように分割されたのかの結果である。ＷＲＴＵ ＭＡＣアーキテクチャ１００は、さらに、高速ＭＡＣエンティティ１１０、ＭＡＣ−ｃ／ｓｈ １１５、個別チャネルＭＡＣ（ＭＡＣ−ｄ）１２０およびＭＡＣ制御サービスアクセスポイント（ＳＡＰ）１２５を含む。ＭＡＣ−ｃ／ｓｈ １１５は、ＨＳ−ＤＳＣＨトランスポートチャネル１４５を除く全ての共通トランスポートチャネルへのアクセスを制御する。ＭＡＣ−ｄ １２０は、全ての個別トランスポートチャネルに対するアクセス、ＭＡＣ−ｃ／ｓｈ １１５およびＭＡＣ−ｈｓ １１０へのアクセスを制御する。ＭＡＣ−ｈｓ １１０は、ＨＳ−ＤＳＣＨトランスポートチャネル１４５へのアクセスを制御する。
【０００４】
ＭＡＣ−ｅｓ／ＭＡＣ−ｅエンティティ１０５は、Ｅ−ＤＣＨ１３０へのアクセスを制御し、これにより、ＭＡＣ−ｄ１２０は、コネクション１３５を介してＥ−ＤＣＨ１３０にアクセスすることが可能となり、ＭＡＣコントロールＳＡＰ１２５は、コネクション１４０を介してＥ−ＤＣＨ１３０にアクセスすることが可能となる。
【０００５】
図１Ｂは、図１の伝統的なＷＴＲＵにおけるＭＡＣ相互作用を示す図である。図１Ｂに示すように、無線リンク制御（ＲＬＣ：radio link control）プロトコルデータユニット（ＰＤＵ：protocol data unit）は、論理チャネル上のＭＡＣ−ｄに入る。ＭＡＣ−ｅヘッダにおいては、データ記述識別子（ＤＤＩ：data description indicator）フィールド（６ビット）は、論理チャネル、ＭＡＣ−ｄフローおよびＭＡＣ−ｄ ＰＤＵサイズを識別する。マッピングテーブルが無線リソース制御（ＲＲＣ：radio resource control）シグナリングを介して信号を送られて、ＷＴＲＵがＤＤＩ値をセットすることを可能にする。Ｎフィールド（６ビットの固定サイズ）は、同一のＤＤＩ値に対応する連続するＭＡＣ−ｄ ＰＤＵの数を示す。ＤＤＩフィールドの特別値は、ＭＡＣ−ｅ ＰＤＵの残存部分にはもはやデータが含まれていないことを示す。送信シーケンス番号（ＴＳＮ：transmission sequence number）フィールド（６ビット）によって、図１Ａに示すＥ−ＤＣＨ１３０における送信シーケンス番号を提供することができる。ＭＡＣ−ｅ ＰＤＵは、ハイブリッド自動リピート要求（Ｈ−ＡＲＱ：hybrid-automatic repeat request）エンティティに対して転送され、Ｈ−ＡＲＱは、その後、一の送信時間間隔（ＴＴＩ：transmission time interval）における送信のためにＭＡＣ−ｅ ＰＤＵをレイヤ１に転送する。
【発明の開示】
【発明が解決しようとする課題】
【０００６】
Ｅ−ＤＣＨデータの送信をスケジューリングする効率的なＭＡＣアーキテクチャが望まれる。
【課題を解決するための手段】
【０００７】
本発明は、Ｅ−ＤＣＨを介する送信をスケジューリングする方法および装置に関する。スケジュールパワーは、スケジュールデータフロー用に算出される。残存送信パワーは、Ｅ−ＤＣＨ送信用に算出される。レート要求メッセージが生成され、スケジュールパワー、残存送信パワーおよびレート要求メッセージが、トランスポートフォーマットコンビネーション（ＴＦＣｓ）を選択するため、およびＥ−ＤＣＨ送信用にスケジュールされたデータを多重化するために使用される。残存送信パワーは、最大許容パワーから、個別物理データチャネル（ＤＰＤＣＨ：dedicated physical data channel）、個別物理制御チャネル（ＤＰＣＣＨ：dedicated physical control channel）、超高速個別物理制御チャネル（ＨＳ−ＤＰＣＣＨ：high speed dedicated physical control channel）、拡張アップリンク個別物理制御チャネル（Ｅ−ＤＰＣＣＨ：enhanced uplink dedicated physical control channel）およびパワーマージンのパワーを差し引くことで算出される。
【０００８】
本発明のより詳細な理解は、例示の目的で提示し添付する図面と併せて理解されるべき以下の好ましい例の説明から得られることができる。
【発明を実施するための最良の形態】
【０００９】
以下では、用語「ＷＴＲＵ」は、限定されるものではないが、ユーザ端末（ＵＥ）、移動局、固定またはモバイル加入者ユニット、ページャ、あるいは無線環境において動作することが可能な他の任意のタイプの装置も含む。以下で言及する場合には、用語「ノードＢ」は、限定されるものではないが、基地局、サイトコントローラ、アクセスポイント、または無線環境のインタフェース装置となる他の任意のタイプの装置を含む。
【００１０】
以下では、用語「ＭＡＣ−ｅ」は、ＭＡＣ−ｅおよびＭＡＣ−ｅｓの両者をトータルで参照するために使用される。
【００１１】
本発明の特徴は、ＩＣ（integrated circuit）に組み込むことも可能であり、また、相互に連結する複合的なコンポーネントを備える回路を構成することも可能である。
【００１２】
図２は、本発明において構成されるＷＴＲＵ ＭＡＣ−ｅアーキテクチャ２００を示す。ＷＴＲＵ ＭＡＣ−ｅアーキテクチャ２００は、スケジューリング許可処理ユニット２１０、残存送信パワー計算ユニット２１５およびレート要求処理ユニット２２０を含む。
【００１３】
スケジューリング許可処理ユニット２１０は、少なくとも一の無線リンクセット（ＲＬＳ：radio link set）から少なくとも一のスケジューリング許可（scheduling grant）を受信し、現在のスケジューリング許可を導き出す。スケジューリング許可は、プライマリまたはセカンダリ識別子を有するサービングＥ−ＤＣＨセルから受信する絶対的な許可（absolute grant）２２５（すなわち、Ｅ−ＤＣＨ無線ネットワークテンポラリ識別子（Ｅ−ＲＮＴＩ：E-DCH radio network temporary identifier）は絶対的な許可がプライマリであるかセカンダリであるかを判定するために使用される）、サービングＥ−ＤＣＨ ＲＬＳから受信する相対的な許可（relative grant）２３０、または非サービングＥ−ＤＣＨ ＲＬから受信する相対的な許可２３５であることができる。スケジューリング許可処理ユニット２１０は、Ｅ−ＴＦＣ選択およびスケジュールデータＭＡＣ−ｄフローのための多重化機能によって使用されるスケジュールパワーの量を示す信号２４０を出力する。
【００１４】
スケジュールパワーの量は、ＤＰＣＣＨパワーに対する比として識別することができる。例えば、ＤＰＣＣＨパワーがＰである場合には、スケジュールパワーの量はＤＰＣＣＨパワーに対して２の比を有する。したがって、スケジュールパワーの量は、２Ｐである。あるいは、スケジュールパワーの量は、最大送信パワーとして識別することができる。最大送信パワーは、スケジュールデータ用に、Ｅ−ＴＦＣ選択および多重化機能を避けるために使用され、ＤＰＣＣＨパワー測定値の認識のために使用されることができる。ＤＰＣＣＨパワーは速く変化するため、ＭＡＣ内で異なるエンティティに伝播される場合には、処理オーバーヘッドが生じる。さらには、タイミングを同期させることは複雑である。それゆえ、他のスケジューリング関連機能が現在のＤＰＣＣＨパワーを知る必要があるので、ＭＡＣ−ｅにおいて一のエンティティのみがＤＰＣＣＨパワーを認識していることが好ましい。
【００１５】
ＭＡＣ−ｅエンティティ１０５がＭＡＣ−ｅ機能を呼び出すと、スケジューリング許可処理ユニット２１０は、現在のサービング許可を判定する。ＡＧＣＨから受信された絶対的な許可２２５が物理レイヤによって提供され、その許可がプライマリＥ−ＲＮＴＩまたはセカンダリＥ−ＲＮＴＩと共に受信されたかが示される。また、各ＲＬＳから受信される相対的な許可２３０、２３５が物理レイヤによって提供され、そのＲＬＳがサービングＥ−ＤＣＨ ＲＬＳか、または非サービングＥ−ＤＣＨ ＲＬかが示される。絶対的な許可２２５は、現在のＵＬ ＤＰＣＣＨパワーに対する比として信号で伝えられる。プライマリＥ−ＲＮＴＩと共に受信される絶対的な許可２２５は、現在のサービング許可を常時リセットする。セカンダリＥ−ＲＮＴＩと共に受信される絶対的な許可は、セカンダリＥ−ＲＮＴＩまたはその許可によるこれまでのセットがゼロにセットされる場合に、現在のサービング許可に影響を与えるだけである。
【００１６】
サービングＥ−ＤＣＨ ＲＬＳからの相対的な許可２３０は、サービング許可をステップアップまたはダウンして調整する。非サービングＥ−ＤＣＨ ＲＬＳに関する相対的な許可は、１ステップ分サービング許可よりも低くすることだけが可能である。非サービング Ｅ−ＤＣＨ ＲＬＳから相対的な許可ダウンが受信されると、ヒステリシス期間が開始され、その間、他の相対的な許可ダウンは無視される。
【００１７】
残存送信パワー計算ユニット２１５は、物理レイヤによって推定される現在のＤＰＣＣＨパワーを示す信号２４５、ＭＡＣ−ｄによって選択されるＤＣＨ ＴＦＣまたは物理レイヤによって推定されるＤＰＤＣＨパワーを示す信号２５０、物理レイヤからのＨＳ−ＤＰＣＣＨアクティブを示す信号２５５、および無線リソースコントローラ（ＲＲＣ：radio resource controller）によって構成される低レイヤ管理エンティティ（ＬＬＭＥ：lower layer management entity）から最大許容パワー（パワーマージンを含む）を示す信号２６０を受信する。ＨＳ−ＤＰＣＣＨがアクティブであれば、そのパワー（および他のチャネルからのパワー）は、最大パワーから差し引かれて残存パワーを判定する必要がある。信号２４５、２５０、２５５、および２６０に基づいて、残存送信パワー計算ユニット２１５は、以下の式（１）に従って計算される残存送信パワー（Ｐｒｅｍａｉｎ）を示す信号２６５を出力する。
【００１８】
【数１】
2008537448.tif 000003
【００１９】
ここで、ＰＤＰＣＣＨ、ＰＤＰＤＣＨ、ＰＳＨ−ＤＰＣＣＨおよびＰＥ−ＤＰＣＣＨは、ＤＰＣＣＨ、ＤＰＤＣＨ、ＨＳ−ＤＰＣＣＨおよびＥ−ＤＰＣＣＨのパワー必要量をそれぞれ表している。レート要求処理ユニット２２０は、レート要求に関するトリガイベントを監視し、トリガイベントが発生したときにスケジューリング情報レート要求をトリガする。レート要求処理ユニット２２０は、レート要求をトリガするロジック、およびレート要求ビットを含むレート要求メッセージ２７０を構築するロジックを提供する。
【００２０】
レート要求は、Ｅ−ＤＣＨにマッピングされた論理チャネル上に新しいデータが受信されるとき、現在のスケジューリング許可がない場合には、Ｅ−ＤＣＨにマッピングされた論理チャネル上に最後に報告されたよりも優先度の高い新しいデータが受信されるときにトリガされることができ、スケジューリング許可およびレート要求が更新され定期的に生成される場合（これはＲＲＣ手順によって構成される）、およびサービングＲＬＳ確認応答（ＡＣＫ：acknowledgement）が以前に送信されたレート要求に関して受信していない場合に、更新レート要求が生成される。
【００２１】
レート要求は、全てのスケジュールされたＭＡＣ−ｄフローに関する総バッファ占有期間、任意のスケジュールされたＭＡＣ−ｄフローに関する最高優先度データバッファ占有期間、およびＥ−ＤＣＨ送信用に利用可能なパワーヘッドルームを含む。
【００２２】
図３を参照して、以下でＭＡＣ−ｅスケジューリング処理３００を説明する。各Ｅ−ＤＣＨ ＴＴＩに関して、Ｅ−ＤＣＨを監視し、スケジューリング情報レート要求トリガが発生するかどうか、および／または、利用可能な許可を有するＥ−ＤＣＨデータがあるかどうかを判定する（ステップ３０２）。レート要求トリガが発生し、または、利用可能なＥ−ＤＣＨデータがない場合には、次のＴＴＩまで処理を待機する。ステップ３０２の判定が肯定的である場合には、さらに、Ｈ−ＡＲＱ処理が利用可能であるかどうかを判定する（ステップ３０４）。Ｈ−ＡＲＱ処理の利用可能性は、Ｅ−ＴＦＣ選択およびＥ−ＤＣＨデータ送信の前に必要な要件となる。利用可能なＨ−ＡＲＱ処理がない場合には、次のＴＴＩまで処理３００を待機する。Ｈ−ＡＲＱ処理がステップ３０４にて利用可能であると判定する場合には、現在スケジューリング許可および残存送信パワー算出がスケジューリング許可処理ユニット２１０および残存送信パワー計算ユニット２１５からそれぞれ要求される（ステップ３０６）。ステップ３０８において、ＭＡＣ−ｅ制御機能がスケジューリングおよびＥ−ＴＦＣ選択機能を呼び出し、ＭＡＣ−ｅ ＰＤＵを生成する。ステップ３１０において、ＭＡＣ−ｅ ＰＤＵは、それから固有パワーオフセットおよび最大再送信数と共に利用可能なＨ−ＡＲＱ処理に転送される。
【００２３】
ＭＡＣ−ｅ ＰＤＵ形成のタイミング要件を合わせる他の実施形態においては、形成処理をスピードアップのため、起こり得るＭＡＣ−ｅ ＰＤＵの前算出を使用する。ＭＡＣ−ｅエンティティがＥ−ＤＣＨ送信用の残存パワー量（remaining power budget）とともに要求される場合に、形成処理は、前フォーマットされたＭＡＣ−ｅ ＰＤＵテーブル（主に、ＭＡＣ−ｅ ＰＤＵヘッダがフォーマットされデータブロックＰＤＵが割り当てられる）をサーチし、開始情報をＨ−ＡＲＱ／物理レイヤに提供する。タイミング要件に依存して、前処理を実行する多くの方法がある。
【００２４】
図４は、本発明における前処理されるＭＡＣ−ｅ ＰＤＵフォーマットの一例である。前処理されるＭＡＣ−ｅ ＰＤＵフォーマットは、Ｅ−ＤＣＨまたはこれと同等のものに関するパワー量、その量または同等のものに最適にフィットする十分にフォーマットされたＭＡＣ−ｅ ＰＤＵヘッダ、送信シーケンス番号（ＴＳＮ：transmission sequence number）およびデータブロックポインタのリスト、スケジュール情報およびパディングビットから構成される。
【００２５】
Ｅ−ＤＣＨ用のパワー量は、最後の送信パワーおよび現在起こり得るパワー量の予測に基づいて予測パワーまたは同等の状態を含む。ＭＡＣ−ｅ ＰＤＵヘッダは、同じ行（row）でのデータ優先度およびこの量に基づいてフォーマットされる。十分にフォーマットされたＭＡＣ−ｅ ＰＵＤヘッダには、論理チャネル優先度が考慮されたＭＡＣ−ｅ ＰＤＵ、およびスケジュールデータ、非スケジュールデータおよび考慮された量が記述される。ヘッダには、ＤＤＩ、Ｎ、およびＤＤＩターミネイターが含まれる。ＭＡＣ−ｅｓデータブロックに対するデータポインタおよびＴＳＮを含むＭＡＣ−ｅｓ ＰＤＵ記述子のリストは、同じ行の前フォーマットされたＰＤＵヘッダに対応する。スケジューリング情報は、もしあればＭＡＣ−ｅ ＰＵＤと同伴することができる。パディングビットは、特定の行に関するＭＡＣ−ｅ ＰＤＵの最後にパディングすべきビットの数を示す。十分な形成は、次の部分的な形成を使用することができる。すなわち、Ｅ−ＤＣＨまたは同等のもののパワー量、ＤＤＩ、スケジュールまたは非スケジュールである。このソートされたリストは、データ優先度に基づくものである。各行は、ＭＡＣ−ｄ・フロー（ＭＡＣ−ｅｓ ＰＤＵ）である。パワー量は、予測されるパワー量のリストである。ＤＤＩは、ＭＡＣ−ｄ・フロー・ＩＤ、論理チャネルＩＤ、およびＰＤＵサイズを表している。スケジュールまたは非スケジュール列（column）は、ＰＤＵは非スケジュールパワー量またはスケジュールパワー量を消費することを示す。非スケジュールデータは、ＭＡＣ−ｅ ＰＤＵのスケジュールされた情報とともに使用されることもできる。
【００２６】
本発明の特徴および要素を、特定の組み合わせにおける好ましい実施形態として説明したが、各特徴または要素は、好ましい実施形態のその他の特徴および要素を含むことなく単独で使用することも可能であり、また、本発明の他の特徴および要素を含んでも含まないでもよい様々な組み合わせで使用することが可能である。
【図面の簡単な説明】
【００２７】
【図１Ａ】伝統的なＷＴＲＵサイドＭＡＣアーキテクチャを示す図である。
【図１Ｂ】図１Ａで示す伝統的なＷＴＲＵにおけるＭＡＣ相互作用の従来技術を示す図である。
【図２】本発明において構成されるＷＴＲＵ ＭＡＣ−ｅアーキテクチャを示す図である。
【図３】本発明におけるＭＡＣ−ｅスケジューリング処理のフロー図である。
【図４】本発明における例示的な前処理されたＭＡＣ−ｅ ＰＤＵフォーマットを示す図である。
【図１Ａ】
2008537448.tif 000004
【図１Ｂ】
2008537448.tif 000005
【図２】
2008537448.tif 000006
【図３】
2008537448.tif 000007
【図４】
2008537448.tif 000008
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングする方法であって、
スケジュールデータフロー用のスケジュールパワーを算出するステップと、
前記Ｅ−ＤＣＨ送信用の残存送信パワーを算出するステップと、
レート要求メッセージを生成するステップと
を備え、
前記スケジュールパワー、残存送信パワーおよびレート要求メッセージは、トランスポートフォーマットコンビネーション（ＴＦＣｓ）を選択するため、および前記Ｅ−ＤＣＨ送信用にスケジュールされたデータを多重化するために使用されることを特徴とする方法。
【請求項２】
少なくとも一の無線リンクセット（ＲＬＳ）から受信される少なくとも一のスケジューリング許可が、前記スケジュールパワーを算出するために使用されることを特徴とする請求項１に記載の方法。
【請求項３】
前記少なくとも一のスケジューリング許可は、プライマリまたはセカンダリの識別子を有するＥ−ＤＣＨセルから受信される絶対的な許可であることを特徴とする請求項２に記載の方法。
【請求項４】
前記少なくとも一のスケジューリング許可は、サービングＥ−ＤＣＨ無線リンクセットから受信される相対的な許可であることを特徴とする請求項２に記載の方法。
【請求項５】
前記少なくとも一のスケジューリング許可は、非サービングＥ−ＤＣＨ無線リンクセットから受信される相対的な許可であることを特徴とする請求項２に記載の方法。
【請求項６】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とする請求項１に記載の方法。
【請求項７】
前記レート要求メッセージのトリガとなるロジックを提供するステップと、
前記レート要求メッセージを構築するロジックを提供するステップと
をさらに備え、
前記レート要求メッセージは、複数のレート要求ビットを含むことを特徴とする請求項１に記載の方法。
【請求項８】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項１に記載の方法。
【請求項９】
前記レート要求メッセージは、スケジューリング許可が全くないときに前記Ｅ−ＤＣＨにマッピングされる論理チャネル上で新しいデータを受信した際に、トリガされることを特徴とする請求項１に記載の方法。
【請求項１０】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項１に記載の方法。
【請求項１１】
前記レート要求メッセージは、最後に報告されたよりも高い優先度の新しいデータが、Ｅ−ＤＣＨにマッピングされた論理チャネル上で受信されたときに、トリガされることを特徴とする請求項１に記載の方法。
【請求項１２】
前記レート要求メッセージは、スケジュール許可がなく、レート要求が更新されて定期的に生成されるときにトリガされることを特徴とする請求項１に記載の方法。
【請求項１３】
以前に送信された前記レート要求メッセージに関してサービング無線リンクセット（ＲＬＳ）確認応答（ＡＣＫ）を受信しないときに、更新レート要求メッセージが生成されることを特徴とする請求項１に記載の方法。
【請求項１４】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングする方法であって、
各送信時間間隔（ＴＴＩ）にて、スケジューリング情報レート要求トリガが発生するかどうか、および／または、Ｅ−ＤＣＨデータが利用可能であるかどうかを監視するステップと、
スケジューリング情報レート要求トリガが発生し、および／または、Ｅ−ＤＣＨデータが利用可能である場合には、ハイブリッド自動リピート要求（Ｈ−ＡＲＱ）処理が利用可能かを判定するステップであり、利用可能でなければ次のＴＴＩを待つステップと、
前記Ｈ−ＡＲＱ処理が利用可能である場合には、現在のスケジューリング許可および残存送信パワー算出を要求するステップであり、利用可能でなければ次のＴＴＩを待つステップと、
スケジューリング機能および拡張アップリンクトランスポートフォーマットコンビネーション（Ｅ−ＴＦＣ）選択機能を呼び出し、拡張アップリンク媒体アクセス制御（ＭＡＣ−ｅ）プロトコルデータユニット（ＰＤＵ）を生成するステップと、
前記ＭＡＣ−ｅ ＰＤＵを前記利用可能なＨ−ＡＲＱ処理へと送信用に転送するステップと
を備えることを特徴とする方法。
【請求項１５】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とするＷＴＲＵ。
【請求項１６】
少なくとも一の無線リンクセット（ＲＬＳ）から受信される少なくとも一のスケジューリング許可が、前記スケジュールパワーを算出するために使用されることを特徴とする請求項１５に記載のＷＴＲＵ。
【請求項１７】
前記少なくとも一のスケジューリング許可は、プライマリまたはセカンダリの識別子を有するＥ−ＤＣＨセルから受信される絶対的な許可であることを特徴とする請求項１６に記載のＷＴＲＵ。
【請求項１８】
前記少なくとも一のスケジューリング許可は、サービングＥ−ＤＣＨ無線リンクセットから受信される相対的な許可であることを特徴とする請求項１６に記載のＷＴＲＵ。
【請求項１９】
前記少なくとも一のスケジューリング許可は、非サービングＥ−ＤＣＨ無線リンクセットから受信される相対的な許可であることを特徴とする請求項１６に記載のＷＴＲＵ。
【請求項２０】
前記レート要求処理ユニットは、
前記レート要求メッセージをトリガするロジックと、複数のレート要求ビットを含む前記レート要求メッセージを構築するロジックとを備えることを特徴とする請求項１５に記載のＷＴＲＵ。
【請求項２１】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とするＷＴＲＵ。
【請求項２２】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、スケジューリング許可が全くないときに前記Ｅ−ＤＣＨにマッピングされる論理チャネル上で新しいデータを受信した際に、トリガされることを特徴とするＷＴＲＵ。
【請求項２３】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とするＷＲＴＵ。
【請求項２４】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、最後に報告されたよりも高い優先度の新しいデータが、Ｅ−ＤＣＨにマッピングされた論理チャネル上で受信されたときに、トリガされることを特徴とするＷＴＲＵ。
【請求項２５】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、スケジュール許可がなく、レート要求が更新されて定期的に生成されるときにトリガされることを特徴とするＷＴＲＵ。
【請求項２６】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記Ｅ−ＤＣＨを介してデータ送信をスケジューリングするＷＴＲＵであって、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
以前に送信された前記レート要求メッセージに関してサービング無線リンクセット（ＲＬＳ）確認応答（ＡＣＫ）を受信しないときに、更新レート要求メッセージが生成されることを特徴とするＷＴＲＵ。
【請求項２７】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）およびパワーマージンのパワーを差し引くことで算出されることを特徴とするＩＣ。
【請求項２８】
少なくとも一の無線リンクセット（ＲＬＳ）から受信される少なくとも一のスケジューリング許可が、前記スケジュールパワーを算出するために使用されることを特徴とする請求項２７に記載のＩＣ。
【請求項２９】
前記少なくとも一のスケジューリング許可は、プライマリまたはセカンダリの識別子を有するＥ−ＤＣＨセルから受信される絶対的な許可であることを特徴とする請求項２８に記載のＩＣ。
【請求項３０】
前記少なくとも一のスケジューリング許可は、サービングＥ−ＤＣＨ無線リンクセットから受信される相対的な許可であることを特徴とする請求項２８に記載のＩＣ。
【請求項３１】
前記少なくとも一のスケジューリング許可は、非サービングＥ−ＤＣＨ無線リンクセットから受信される相対的な許可であることを特徴とする請求項２８に記載のＩＣ。
【請求項３２】
前記レート要求処理ユニットは、
前記レート要求メッセージをトリガするロジックと、
前記レート要求メッセージを構築するロジックと
を備え、
前記レート要求メッセージは、複数のレート要求ビットを含むことを特徴とする請求項２７に記載のＩＣ。
【請求項３３】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とするＩＣ。
【請求項３４】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、スケジューリング許可が全くないときに前記Ｅ−ＤＣＨにマッピングされる論理チャネル上で新しいデータを受信した際に、トリガされることを特徴とするＩＣ。
【請求項３５】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とするＩＣ。
【請求項３６】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、最後に報告されたよりも高い優先度の新しいデータが、Ｅ−ＤＣＨにマッピングされた論理チャネル上で受信されたときに、トリガされることを特徴とするＩＣ。
【請求項３７】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
前記レート要求メッセージは、スケジュール許可がなく、レート要求が更新されて定期的に生成されるときにトリガされることを特徴とするＩＣ。
【請求項３８】
無線送受信ユニット（ＷＴＲＵ）およびノードＢを含み、前記ＷＴＲＵと前記ノードＢとの間にアップリンク送信用の拡張個別チャネル（Ｅ−ＤＣＨ）が確立される無線通信システムにおいて、前記ＷＴＲＵは、前記Ｅ−ＤＣＨを介してデータ送信をスケジューリングするＩＣを含み、
前記ＩＣは、
スケジュールデータフロー用のスケジュールパワーを算出するスケジューリング許可処理ユニットと、
前記Ｅ−ＤＣＨ送信用の残存送信パワーを算出する残存パワー計算ユニットと、
レート要求メッセージを生成するレート要求処理ユニットと
を備え、
以前に送信された前記レート要求メッセージに関してサービング無線リンクセット（ＲＬＳ）確認応答（ＡＣＫ）を受信しないときに、更新レート要求メッセージが生成されることを特徴とするＩＣ。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
拡張個別チャネル（Ｅ−ＤＣＨ）を介するアップリンクデータ送信をスケジューリングする方法であって、
スケジュールデータフロー用のスケジュールパワーを算出するステップと、
前記Ｅ−ＤＣＨ送信用の残存送信パワーを算出するステップと、
レート要求メッセージを生成するステップと
を備え、
前記スケジュールパワー、残存送信パワー、およびレート要求メッセージは、トランスポートフォーマットコンビネーション（ＴＦＣｓ）を選択するため、および前記Ｅ−ＤＣＨ送信用にスケジュールされたデータを多重化するために使用されることを特徴とする方法。
【請求項２】
少なくとも一の無線リンクセット（ＲＬＳ）から受信される少なくとも一のスケジューリング許可が、前記スケジュールパワーを算出するために使用されることを特徴とする請求項１に記載の方法。
【請求項３】
前記少なくとも一のスケジューリング許可は、プライマリまたはセカンダリの識別子を有するＥ−ＤＣＨセルから受信される絶対的な許可であることを特徴とする請求項２に記載の方法。
【請求項４】
前記少なくとも一のスケジューリング許可は、サービングＥ−ＤＣＨ無線リンクセットから受信される相対的な許可であることを特徴とする請求項２に記載の方法。
【請求項５】
前記少なくとも一のスケジューリング許可は、非サービングＥ−ＤＣＨ無線リンクセットから受信される相対的な許可であることを特徴とする請求項２に記載の方法。
【請求項６】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）、およびパワーマージンのパワーを差し引くことで算出されることを特徴とする請求項１に記載の方法。
【請求項７】
前記レート要求メッセージのトリガとなるロジックを提供するステップと、
前記レート要求メッセージを構築するロジックを提供するステップと
をさらに備え、
前記レート要求メッセージは、複数のレート要求ビットを含むことを特徴とする請求項１に記載の方法。
【請求項８】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項１に記載の方法。
【請求項９】
前記レート要求メッセージは、スケジューリング許可が全くないときに前記Ｅ−ＤＣＨにマッピングされる論理チャネル上で新しいデータを受信した際に、トリガされることを特徴とする請求項１に記載の方法。
【請求項１０】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項１に記載の方法。
【請求項１１】
前記レート要求メッセージは、最後に報告されたよりも高い優先度の新しいデータが、Ｅ−ＤＣＨにマッピングされた論理チャネル上で受信されたときに、トリガされることを特徴とする請求項１に記載の方法。
【請求項１２】
前記レート要求メッセージは、スケジュール許可がなく、レート要求が更新されて定期的に生成されるときにトリガされることを特徴とする請求項１に記載の方法。
【請求項１３】
以前に送信された前記レート要求メッセージに関してサービング無線リンクセット（ＲＬＳ）確認応答（ＡＣＫ）を受信しないときに、更新レート要求メッセージが生成されることを特徴とする請求項１に記載の方法。
【請求項１４】
拡張個別チャネル（Ｅ−ＤＣＨ）を介するアップリンクデータ送信をスケジューリングする方法であって、
各送信時間間隔（ＴＴＩ）にて、スケジューリング情報レート要求トリガが発生するかどうか、およびＥ−ＤＣＨデータが利用可能であるかどうかを監視するステップと、
スケジューリング情報レート要求トリガが発生し、かつＥ−ＤＣＨデータが利用可能である場合には、ハイブリッド自動リピート要求（Ｈ−ＡＲＱ）処理が利用可能かを判定するステップであり、利用可能でなければ次のＴＴＩを待つステップと、
前記Ｈ−ＡＲＱ処理が利用可能である場合には、現在のスケジューリング許可および残存送信パワー算出を要求するステップであり、利用可能でなければ次のＴＴＩを待つステップと、
スケジューリング機能および拡張アップリンクトランスポートフォーマットコンビネーション（Ｅ−ＴＦＣ）選択機能を呼び出し、拡張アップリンク媒体アクセス制御（ＭＡＣ−ｅ）プロトコルデータユニット（ＰＤＵ）を生成するステップと、
前記ＭＡＣ−ｅ ＰＤＵを前記利用可能なＨ−ＡＲＱ処理へと送信用に転送するステップと
を備えることを特徴とする方法。
【請求項１５】
拡張個別チャネル（Ｅ−ＤＣＨ）を介するアップリンク送信およびスケジューリングデータ送信用のＥ−ＤＣＨを確立するように構成されるＷＴＲＵであって、
スケジュールデータフロー用のスケジュールパワーを算出するように構成されるスケジューリング許可処理ユニットと、
Ｅ−ＤＣＨ送信用の残存送信パワーを算出するように構成される残存パワー計算ユニットと、
レート要求メッセージを生成するように構成されるレート要求処理ユニットと
を備え、
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）、およびパワーマージンのパワーを差し引くことで算出されることを特徴とするＷＴＲＵ。
【請求項１６】
少なくとも一の無線リンクセット（ＲＬＳ）から受信される少なくとも一のスケジューリング許可が、前記スケジュールパワーを算出するために使用されることを特徴とする請求項１５に記載のＷＴＲＵ。
【請求項１７】
前記少なくとも一のスケジューリング許可は、プライマリまたはセカンダリの識別子を有するＥ−ＤＣＨセルから受信される絶対的な許可であることを特徴とする請求項１６に記載のＷＴＲＵ。
【請求項１８】
前記少なくとも一のスケジューリング許可は、サービングＥ−ＤＣＨ無線リンクセットから受信される相対的な許可であることを特徴とする請求項１６に記載のＷＴＲＵ。
【請求項１９】
前記少なくとも一のスケジューリング許可は、非サービングＥ−ＤＣＨ無線リンクセットから受信される相対的な許可であることを特徴とする請求項１６に記載のＷＴＲＵ。
【請求項２０】
前記レート要求処理ユニットは、
前記レート要求メッセージをトリガするロジックと、複数のレート要求ビットを含む前記レート要求メッセージを構築するロジックとを備えることを特徴とする請求項１５に記載のＷＴＲＵ。
【請求項２１】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項１５に記載のＷＴＲＵ。
【請求項２２】
前記レート要求メッセージは、スケジューリング許可が全くないときに前記Ｅ−ＤＣＨにマッピングされる論理チャネル上で新しいデータを受信した際に、トリガされることを特徴とする請求項１５に記載のＷＴＲＵ。
【請求項２３】
前記レート要求メッセージは、最後に報告されたよりも高い優先度の新しいデータが、Ｅ−ＤＣＨにマッピングされた論理チャネル上で受信されたときに、トリガされることを特徴とする請求項１５に記載のＷＴＲＵ。
【請求項２４】
前記レート要求メッセージは、スケジュール許可がなく、レート要求が更新されて定期的に生成されるときにトリガされることを特徴とする請求項１５に記載のＷＴＲＵ。
【請求項２５】
以前に送信された前記レート要求メッセージに関してサービング無線リンクセット（ＲＬＳ）確認応答（ＡＣＫ）を受信しないときに、更新レート要求メッセージが生成されることを特徴とする請求項１５に記載のＷＴＲＵ。
【請求項２６】
前記スケジューリング許可処理ユニット、前記残存パワー計算ユニット、およびレート要求処理ユニットは、集積回路（ＩＣ）に組み込まれることを特徴とする請求項１５に記載のＷＴＲＵ。
【請求項２７】
拡張個別チャネル（Ｅ−ＤＣＨ）を介するアップリンク送信およびスケジューリングデータ送信用のＥ−ＤＣＨを確立するように構成されるＷＴＲＵであって、
スケジュールデータフロー用のスケジュールパワーを算出するように構成されるスケジューリング許可処理ユニットと、
前記Ｅ−ＤＣＨ送信用の残存送信パワーを算出するように構成される残存パワー計算ユニットと、
レート要求メッセージを生成するように構成されるレート要求処理ユニットと
を備え、
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とするＷＴＲＵ。
【請求項２８】
少なくとも一の無線リンクセット（ＲＬＳ）から受信される少なくとも一のスケジューリング許可が、前記スケジュールパワーを算出するために使用されることを特徴とする請求項２７に記載のＷＴＲＵ。
【請求項２９】
前記少なくとも一のスケジューリング許可は、プライマリまたはセカンダリの識別子を有するＥ−ＤＣＨセルから受信される絶対的な許可であることを特徴とする請求項２８に記載のＷＴＲＵ。
【請求項３０】
前記少なくとも一のスケジューリング許可は、サービングＥ−ＤＣＨ無線リンクセットから受信される相対的な許可であることを特徴とする請求項２８に記載のＷＴＲＵ。
【請求項３１】
前記少なくとも一のスケジューリング許可は、非サービングＥ−ＤＣＨ無線リンクセットから受信される相対的な許可であることを特徴とする請求項２８に記載のＷＴＲＵ。
【請求項３２】
前記レート要求処理ユニットは、
前記レート要求メッセージをトリガするロジックと、複数のレート要求ビットを含む前記レート要求メッセージを構築するロジックとを備えることを特徴とする請求項２７に記載のＷＴＲＵ。
【請求項３３】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項２７に記載のＷＴＲＵ。
【請求項３４】
前記レート要求メッセージは、スケジューリング許可が全くないときに前記Ｅ−ＤＣＨにマッピングされる論理チャネル上で新しいデータを受信した際に、トリガされることを特徴とする請求項２７に記載のＷＴＲＵ。
【請求項３５】
前記レート要求メッセージは、最後に報告されたよりも高い優先度の新しいデータが、Ｅ−ＤＣＨにマッピングされた論理チャネル上で受信されたときに、トリガされることを特徴とする請求項２７に記載のＷＴＲＵ。
【請求項３６】
前記レート要求メッセージは、スケジュール許可がなく、レート要求が更新されて定期的に生成されるときにトリガされることを特徴とする請求項２７に記載のＷＴＲＵ。
【請求項３７】
以前に送信された前記レート要求メッセージに関してサービング無線リンクセット（ＲＬＳ）確認応答（ＡＣＫ）を受信しないときに、更新レート要求メッセージが生成されることを特徴とする請求項２７に記載のＷＴＲＵ。
【請求項３８】
前記スケジューリング許可処理ユニット、前記残存パワー計算ユニット、およびレート要求処理ユニットは、集積回路（ＩＣ）に組み込まれることを特徴とする請求項２７に記載のＷＴＲＵ。
【請求項３９】
拡張個別チャネル（Ｅ−ＤＣＨ）を介するアップリンク送信およびスケジューリングデータ送信用のＥ−ＤＣＨを確立するように構成されるＷＴＲＵであって、
スケジュールデータフロー用のスケジュールパワーを算出するように構成されるスケジューリング許可処理ユニットと、
Ｅ−ＤＣＨ送信用の残存送信パワーを算出するように構成される残存パワー計算ユニットと、
レート要求メッセージを生成するように構成されるレート要求処理ユニットと
を備え、
前記スケジュールパワー、残存送信パワー、およびレート要求メッセージは、トランスポートフォーマットコンビネーション（ＴＦＣｓ）を選択するため、および前記Ｅ−ＤＣＨ送信用にスケジュールされたデータを多重化するために使用されることを特徴とするＷＴＲＵ。
【請求項４０】
少なくとも一の無線リンクセット（ＲＬＳ）から受信される少なくとも一のスケジューリング許可が、前記スケジュールパワーを算出するために使用されることを特徴とする請求項３９に記載のＷＴＲＵ。
【請求項４１】
前記少なくとも一のスケジューリング許可は、プライマリまたはセカンダリの識別子を有するＥ−ＤＣＨセルから受信される絶対的な許可であることを特徴とする請求項４０に記載のＷＴＲＵ。
【請求項４２】
前記少なくとも一のスケジューリング許可は、サービングＥ−ＤＣＨ無線リンクセットから受信される相対的な許可であることを特徴とする請求項４０に記載のＷＴＲＵ。
【請求項４３】
前記少なくとも一のスケジューリング許可は、非サービングＥ−ＤＣＨ無線リンクセットから受信される相対的な許可であることを特徴とする請求項４０に記載のＷＴＲＵ。
【請求項４４】
前記残存送信パワーは、最大許容パワーから、個別物理データチャネル（ＤＰＤＣＨ）、個別物理制御チャネル（ＤＰＣＣＨ）、超高速個別物理制御チャネル（ＨＳ−ＤＰＣＣＨ）、拡張アップリンク個別物理制御チャネル（Ｅ−ＤＰＣＣＨ）、およびパワーマージンのパワーを差し引くことで算出されることを特徴とする請求項３９に記載のＷＴＲＵ。
【請求項４５】
前記レート要求メッセージは、任意のスケジュール個別チャネル媒体アクセス制御（ＭＡＣ）データフローと、Ｅ−ＤＣＨデータ送信用の利用可能なパワーヘッドルームと、に関する総バッファ占有期間を示すことを特徴とする請求項３９に記載のＷＴＲＵ。
【請求項４６】
前記レート要求メッセージは、スケジューリング許可が全くないときに前記Ｅ−ＤＣＨにマッピングされる論理チャネル上で新しいデータを受信した際に、トリガされることを特徴とする請求項３９に記載のＷＴＲＵ。
【請求項４７】
前記残存送信パワーは、推定個別物理制御チャネル（ＤＰＣＣＨ）パワー、最大許容パワー、超高速個別物理制御チャネル（ＨＳ−ＤＰＣＣＨ）アクティブ指示、および、Ｅ−ＤＣＨトランスポートフォーマットコンビネーション（ＴＦＣ）または推定個別物理データチャネル（ＤＰＤＣＨ）パワーに基づいて計算されることを特徴とする請求項３９に記載のＷＴＲＵ。
【請求項４８】
前記レート要求メッセージは、最後に報告されたよりも高い優先度の新しいデータが、Ｅ−ＤＣＨにマッピングされた論理チャネル上で受信されたときに、トリガされることを特徴とする請求項３９に記載のＷＴＲＵ。
【請求項４９】
前記レート要求メッセージは、スケジュール許可がなく、レート要求が更新されて定期的に生成されるときにトリガされることを特徴とする請求項３９に記載のＷＴＲＵ。
【請求項５０】
以前に送信された前記レート要求メッセージに関してサービング無線リンクセット（ＲＬＳ）確認応答（ＡＣＫ）を受信しないときに、更新レート要求メッセージが生成されることを特徴とする請求項３９に記載のＷＴＲＵ。
【請求項５１】
前記スケジューリング許可処理ユニット、前記残存パワー計算ユニット、およびレート要求処理ユニットは、集積回路（ＩＣ）に組み込まれることを特徴とする請求項３９に記載のＷＴＲＵ。
【手続補正２】
【補正対象書類名】明細書
【補正対象項目名】００２０
【補正方法】変更
【補正の内容】
【００２０】
レート要求は、スケジューリング許可が全くない場合にＥ−ＤＣＨにマッピングされた論理チャネル上に新しいデータが受信されるとき、Ｅ−ＤＣＨにマッピングされた論理チャネル上に最後に報告されたよりも優先度の高い新しいデータが受信されるとき、スケジューリング許可がなくレート要求が更新され定期的に生成されるとき（これはＲＲＣ手順によって構成される）にトリガされることができ、そして、サービングＲＬＳ確認応答（ＡＣＫ：acknowledgement）を以前に送信されたレート要求に関して受信していない場合に、更新レート要求が生成される。
【国際調査報告】
2008537448.tif 000009